(57)【要約】【課題】フリスビー、ブーメラン、グランドゴルフ等目に当たったりすると安全性に問題がある。また、これらの玩具を全て揃えると高価であり、多くの人が楽しめない。本発明は安全であり、投げる、飛ばす、キャッチする、見る等、多くの人が楽しめ、室内、特に、壁や家具に軽く当てると反発して戻って来る、また、身体や顔に当たっても痛くない、安全性の高い飛翔体玩具を提供する。【解決手段】発泡スチロールからなる円形状の環体で、環体の前部または後部が細径または太径からなる飛翔体玩具である。【選択図】図１
2017136375.tif 000002
【特許請求の範囲】
【請求項１】
発泡スチロールを円形状の環体にした飛翔体玩具。
【請求項２】
上記請求項１において、前記発泡スチロールは弾性があり、割れにくい飛翔体玩具。
【請求項３】
上記請求項１及び上記請求項２において、内径と外径を同心円にすると滑らかに戻ってくる飛翔体玩具。
【発明の詳細な説明】
【技術分野】
【０００１】  本発明は、発射力によって飛ぶことが出来、そして、その後発射位置に戻ることができる、室内で楽しめる多機能飛翔体玩具に関する。具体的には、この発明は内径、外径を同心円にするとなめらかに戻ってくることができる飛翔体玩具に関するものである。
【背景技術】
【０００２】  従来の飛翔体玩具はフリスビー、ブーメラン、グランドゴルフなどが知られている。何れもビニール又はプラスチック製の軽い材質の成型体からなっており、２人以上で相対しながら飛翔体玩具を交互に投げ合って受け取り、さらに相手に投げてゲームする。【０００３】  特許文献１には、ビニール製の飛翔体玩具が記載されているが、この形状で作製したものを飛ばすと元に戻らず、また、何度も使用すると、割れやすかった。【０００４】  また、当該飛翔体玩具が戻ってきたとしても、安定して戻らず、身体や顔に当たり、安全性を確保することが難しかった。【０００５】  上記の課題を解決するために、特許文献２、特許文献３において、いくつかの飛翔体玩具で開発が近年行われている。しかしながら、これらの玩具は複雑であり、また、電力を要するため、多くの人たちが遊ぶことは難しい。【０００６】  そのため、より単純な構造で、電力も必要としない飛翔体玩具の開発が必要であった。
【先行技術文献】
【特許文献】
【０００７】
【特許文献１】特開２０１１−０８３５５７
【特許文献２】特開２００５−１５２０９０
【特許文献３】特表２０１１−５００１７６
【発明の概要】
【発明が解決しようとする課題】
【０００８】  本発明は、室内で飛翔体玩具を使用してゲームをしようとする場合、多くの人たちが身体や顔に当たることない飛翔体玩具であり、安全性の問題を解決することができる。
【課題を解決するための手段】
【０００９】  本発明者は、上記目的を達成するため鋭意検討した結果、飛翔体玩具の形状に注目し、さらに検討した結果、本発明に達したものである。すなわち、本発明の第１の構成は、発泡スチロールを円形状の環体で、内径と外径を同心円にすることによって滑らかに戻ってくる飛翔体玩具である。前記飛翔体玩具は発泡スチロール、紙、プラスチックなどあるが、弾性があり、加工がしやすい発泡スチロールが好ましい。前記発泡スチロールは、例えば、ポリ塩化ビニル（ＰＶＣ）、ポリプロピレン（ＰＰ）、ポリエチレンテレフタレート（ＰＥＴ）、ポリスチレン（ＰＳ）、耐衝撃性ポリスチレン（ＨＩＰＳ）などの合成樹脂フィルム、紙、発泡スチロールなどにより形成することができるが、特に、発泡スチロールが好ましい。【００１０】  本発明の第１の構成において、前記発泡スチロールを円形状の環体で、内径と外径の比が約２８／４０から約３２／４０の範囲内にあることが好ましい。本発明の構成を説明するために、図１に本飛翔体玩具の図面を示した。【００１１】  本発明の第２の構成は、前記発泡スチロールを円形状の環体で、内径と外径の厚さを一定もしくは内径をテーパー状に加工することにより、滑らかに戻ってくる飛翔体玩具である。【００１２】  本発明の第２の構成において、図２の構造であることが好ましい。【００１３】  また、本発明の構成において、前記発泡スチロールを円形状の環体の厚さが、外径５００ｍｍの範囲では、６ｍｍ〜８ｍｍ、外径が５００ｍｍより大きくなると、外径×１０／１０００〜１５／１０００までの範囲内にあることが好ましい。【００１４】  本発明の第３の構成は、前記発泡スチロールを円形状の環体で、外径に前記環体と異なる密度の発泡スチロールをとりつけることによって前記飛翔体玩具が壊れにくい飛翔体玩具である。
【発明の効果】
【００１５】  本発明の第１の構成によれば、発泡スチロールを円形状の環体であって、内径と外径を同心円、つまり、内径と外径の比が約２８／４０から約３２／４０にすることによって、滑らかに元に戻って来る飛翔体玩具を提供することができる。【００１６】  上記本発明の第１の構成の飛翔体玩具によれば、壁や家具に軽く当てると反発して戻って来ることができるので安全性のあるゲームをすることができる。【００１７】  さらに、上記本発明の第１の構成の飛翔体玩具によれば、身体や顔に当たっても痛くなく楽しく安全に遊ぶことが出来る。また、本発明の構成によれば、前方に回転をかけて放つと必ず戻ってくることが出来る。【００１８】  本発明の第２の構成によれば、前記発泡スチロールを円形状の環体で、内径と外径の厚さを一定もしくは内径をテーパー状に加工することにより、滑らかに戻ってくる飛翔体玩具を得ることができる。【００１９】  また、上記本発明の第２の構成の飛翔体玩具によれば、前記発泡スチロールを円形状の環体の厚さが、外径５００ｍｍの範囲では、６ｍｍ〜８ｍｍ、外径が５００ｍｍより大きくなると、外径×１０／１０００〜１５／１０００までの範囲内にあることが好ましい。【００２０】  本発明の第３の構成によれば、前記発泡スチロールを円形状の環体で、外径に前記環体と異なる密度の発泡スチロールをつけることにより、壊れにくい飛翔体玩具を得ることができる。
【図面の簡単な説明】
【００２１】
【図１】本発明の構成を示した飛翔体玩具の模式図である。
【図２】本発明の一例を示す端面図である。
【図３】本発明の構成を示した飛翔体の外側に異なる密度の発泡スチロールを取り付けた場合の模式図である。
【図４】本発明の一例を示す使用例である。
【発明を実施するための最良の形態】
【００２２】  図１は、本発明の一例を示す斜視図であり、本発明の好ましい実施形態である。本発明の飛翔体玩具は、半径ｒ０を内径、半径ｒ１を外径とした円形状の環体の飛翔体玩具である。本発明者は、非常に多くの実験を行い、内径ｒ０と外径ｒ１の比率が約２８／４０から約３２／４０の比率とすることで、本発明の飛翔体玩具が元の位置に戻るための十分な長い飛行時間を有することとなることを見出した。ここで、環体とは、円形状のリングのことである。また、下記の説明をするため、環体の内径を内側部、外径を外側部とする。【００２３】  本発明の飛翔体玩具は、内径と外径の比率が約２８／４０より小さくなる、また、約３２／４０より大きくなると、傾いて上がった方向に落下する。使用する際には飛翔体玩具の細径または太径部分を持って前方に回転をかけて放つことにより、元の投げた場所に戻って来る。【００２４】  本発明の飛翔体玩具は、軽くて弾性があり、割れにくい材料により形成される。例えば、ポリ塩化ビニル（ＰＶＣ）、ポリプロピレン（ＰＰ）、ポリエチレンテレフタレート（ＰＥＴ）、ポリスチレン（ＰＳ）、耐衝撃性ポリスチレン（ＨＩＰＳ）などの合成樹脂フィルム、紙、発泡スチロールなどにより形成することができるが、特に、発泡スチロールが好ましい。【００２５】  図２は本発明の端面図であり、本発明の好ましい実施形態である。本発明の飛翔体玩具の厚さは一定もしくは内径をテーパー状に加工することにより、円形状の環体の飛翔体玩具である。本発明者は、非常に多くの実験を行い、外径が５００ｍｍとしたとき、厚さは６ｍｍから８ｍｍまでの範囲であって、一定もしくは内径をテーパー状の厚さとすることで滑らかに戻ってくることを見出した。厚さを６ｍｍより小さく、また、厚さを８ｍｍより大きくなると、飛翔体玩具を飛ばすことができない。また、図２に示した本発明の飛翔体玩具の内側と外側が異なる厚さとすることにより滑らかに戻って来ることも見出した。Ｌの長さを１０〜２０ｍｍ、ｔ２の厚さを０ｍｍ以上とすることにより滑らかに戻ってくることができる。【００２６】  また、本発明者は外径が５００ｍｍより大きくなったときは、厚さは外径の１０／１０００〜１５／１０００とすることにより、飛翔体玩具は滑らかに戻ってくることを見出した。【００２７】  図３は、本発明の一例を示す断面図である。前記発泡スチロールを円形状の環体で、外径に前記環体と異なる密度の発泡スチロールをつけることにより、壊れにくい飛翔体玩具を得ることができる。【００２８】  図４は、本発明の一例を示す使用例である。室内の壁に本発明の飛翔体玩具を当てて、ゲームを楽しむことが出来る。壁からの距離Ｌは遠すぎても近すぎてもいけないが、特に、約２ｍから約５ｍが好ましい。
【実施例】
【００２９】  以下、実施例により本発明を具体的に説明するが、これらの実施例は本発明の限定を意図するものではない。実施例中で用いる材料などの数値条件、処理法などは本発明の範囲内における好適例にすぎない。【００３０】（内径と外径の比について）
本発明者は、内径と外径との関係について確認するため、以下の表１の飛翔体玩具を作製した。表１の厚さは７ｍｍで示しているが、５ｍｍ，６ｍｍ，８ｍｍ，９ｍｍで作製したところ、５ｍｍ，９ｍｍでは飛翔体玩具は飛ばしても飛ばず落下し、６ｍｍ，８ｍｍでは厚さ７ｍｍと同様な結果が得られた。【００３１】
【表１】
2017136375.tif 000003
【００３２】［参考製造例１］
本発明の内径と外径の比率が４／５にして飛翔体玩具を製造した。材料は発泡スチロールを用い、厚みを７ｍｍ、内径３２０ｍｍ、外径４００ｍｍとした。【００３３】［実施例１］
図４のように、壁から約２ｍ、約３ｍ、約４ｍ、約５ｍはなれた場所から本発明の飛翔体玩具を飛ばした。この玩具は元の位置に戻り、うまく受け取ることが出来た。表１には元に戻ってくる時間（約３ｍ）６秒であることを示している。【００３４】［参考製造例２］
本発明の内径と外径の比率が７／１０にして飛翔体玩具を製造した。材料は発泡スチロールを用い、厚みを７ｍｍ、内径２１０ｍｍ、外径３００ｍｍとした。【００３５】［実施例２］
図４のように、壁から約２ｍ、約３ｍ、約４ｍ、約５ｍはなれた場所から本発明の飛翔体玩具を飛ばした。この玩具は元の位置に戻り、うまく受け取ることが出来た。表１には元に戻ってくる時間（約３ｍ）４秒であることを示している。【００３６】［参考製造例３］
本発明の内径と外径の比率が１１／１５にして飛翔体玩具を製造した。材料は発泡スチロールを用い、厚みを７ｍｍ、内径２２０ｍｍ、外径３００ｍｍとした。【００３７】［実施例３］
図４のように、壁から約２ｍ、約３ｍ、約４ｍ、約５ｍはなれた場所から本発明の飛翔体玩具を飛ばした。この玩具は元の位置に戻り、うまく受け取ることが出来た。表１には元に戻ってくる時間（約３ｍ）４秒であることを示している。【００３８】［参考製造例４］
本発明の内径と外径の比率が３１／４２にして飛翔体玩具を製造した。材料は発泡スチロールを用い、厚みを７ｍｍ、内径３１０ｍｍ、外径４２０ｍｍとした。【００３９】［実施例４］
図４のように、壁から約２ｍ、約３ｍ、約４ｍ、約５ｍはなれた場所から本発明の飛翔体玩具を飛ばした。この玩具は元の位置に戻り、うまく受け取ることが出来た。表１には元に戻ってくる時間（約３ｍ）６秒であることを示している。【００４０】  本発明の内径と外径の比率が６／１０、材料は発泡スチロールを用い、厚みを７ｍｍ、内径３００ｍｍ、外径５００ｍｍ、また、本発明の内径と外径の比率が４１／５０、材料は発泡スチロールを用い、厚みを７ｍｍ、内径２０５ｍｍ、外径２５０ｍｍの飛翔体玩具を製造した。図４のように、壁から約２ｍ、約３ｍ、約４ｍ、約５ｍ離れた場所から本発明の飛翔体玩具を飛ばした。この玩具では元の位置に戻らず、傾いて上がり、落下した。【００４１】  以上の結果から、内径ｒ０と外径ｒ１の比率が約２８／４０から約３２／４０の比率とする、厚さを６ｍｍ〜８ｍｍの範囲にすることで、本発明の飛翔体玩具が元の位置に戻るための十分な長い飛行時間を有することができることがわかった。【００４２】  次に、厚さ６ｍｍ〜８ｍｍの範囲で外径を変え、飛翔体玩具の性能を確認するために、以下の飛翔体玩具を作製した。表２は厚さ７ｍｍで作製しているが、６ｍｍ、８ｍｍでも同様の結果が得られた。また、内径と外径の比が３２／４０でも作製を行ない、６ｍｍ〜８ｍｍで同様の結果が得られた。【００４３】
【表２】
2017136375.tif 000004
【００４４】［参考製造例５］
本発明の内径と外径の比率が約２８／４０にして飛翔体玩具を製造した。材料は発泡スチロールを用い、厚みを７ｍｍ、内径２１０ｍｍ、外径３００ｍｍとした。【００４５】［実施例５］
図４のように、壁から約２ｍ、約３ｍ、約４ｍ、約５ｍはなれた場所から本発明の飛翔体玩具を飛ばした。この玩具は元の位置に戻り、うまく受け取ることが出来た。表２には元に戻ってくる時間（約３ｍ）４秒であることを示している。【００４６】［参考製造例６］
本発明の内径と外径の比率が約２８／４０にして飛翔体玩具を製造した。材料は発泡スチロールを用い、厚みを７ｍｍ、内径２８０ｍｍ、外径４００ｍｍとした。【００４７】［実施例６］
図４のように、壁から約２ｍ、約３ｍ、約４ｍ、約５ｍはなれた場所から本発明の飛翔体玩具を飛ばした。この玩具は元の位置に戻り、うまく受け取ることが出来た。表２には元に戻ってくる時間（約３ｍ）５秒であることを示している。【００４８】［参考製造例７］
本発明の内径と外径の比率が約２８／４０にして飛翔体玩具を製造した。材料は発泡スチロールを用い、厚みを７ｍｍ、内径３５０ｍｍ、外径５００ｍｍとした。【００４９】［実施例７］
図４のように、壁から約２ｍ、約３ｍ、約４ｍ、約５ｍはなれた場所から本発明の飛翔体玩具を飛ばした。この玩具は元の位置に戻り、うまく受け取ることが出来た。表２には元に戻ってくる時間（約３ｍ）６秒であることを示している。【００５０】［参考製造例８］
本発明の内径と外径の比率が約２８／４０にして飛翔体玩具を製造した。材料は発泡スチロールを用い、厚みを７ｍｍ、内径４２０ｍｍ、外径６００ｍｍとした。【００５１】［実施例８］
図４のように、壁から約２ｍ、約３ｍ、約４ｍ、約５ｍはなれた場所から本発明の飛翔体玩具を飛ばした。この玩具では元の位置に戻らず、傾いて上がり、落下した。【００５２】  以上の結果から、外径が５００ｍｍまでは厚さが６ｍｍ〜８ｍｍなることがわかった。【００５３】  外径が５００ｍｍ以上となると、厚みを外径×１０／１０００から１５／１０００となることにより飛翔体玩具を飛ばすことができる。例えば、厚さ１０ｍｍ、内径７５０ｍｍ、外径１０００ｍｍのとき、元に戻ってくる時間が９秒、厚さ１５ｍｍ、内径７５０ｍｍ、外径１０００ｍｍのとき、元に戻ってくる時間が１０秒であった。厚さが９ｍｍ、１６ｍｍのときは、飛翔体玩具は元の位置に戻らず、傾いて上がり、落下した。この実験は壁から約２ｍ、約３ｍ、約４ｍ、約５ｍはなれた場所から本発明の飛翔体玩具を飛ばした結果である。【００５４】  さらに、本発明者は、形状について検討を行い、本発明の飛翔体玩具の内径側をテーパー状とすることで、厚さを一定にした場合より本発明の飛翔体玩具を元の位置に戻る飛行時間が短くなることがわかった。【００５５】  段落００５４の検討を行うため、内径と外径の比を約３２／４０、厚さｔを６ｍｍ、ｔ１を１〜３ｍｍ、ｔ２を０ｍｍ以上、ｔ３を１〜３ｍｍとして以下の飛翔体玩具を作製した。以下の飛翔体玩具のｔ１とｔ３は２ｍｍで作製しているが、１ｍｍ、３ｍｍでも同様の結果が得られた。また、上記記載の外径を５００ｍｍより大きくし、外径と厚さの関係を外径×１０／１０００〜１５／１０００とすることにより同様の結果が得られた。また、厚さｔを７ｍｍ、８ｍｍでも同様の結果が得られた。【００５６】
【表３】
2017136375.tif 000005
【００５７】［参考製造例９］
本発明の内径と外径の比率が約３２／４０にして飛翔体玩具を製造した。材料は発泡スチロールを用い、距離Ｌ１を９ｍｍ、内径３２０ｍｍ、外径４００ｍｍとした。【００５８】［実施例９］
図４のように、壁から約２ｍ、約３ｍ、約４ｍ、約５ｍはなれた場所から本発明の飛翔体玩具を飛ばした。この玩具では元の位置に戻らず、傾いて上がり、落下した。【００５９】［参考製造例１０］
本発明の内径と外径の比率が約３２／４０にして飛翔体玩具を製造した。材料は発泡スチロールを用い、距離Ｌ１を１０ｍｍ、内径３２０ｍｍ、外径４００ｍｍとした。【００６０】［実施例１０］
図４のように、壁から約２ｍ、約３ｍ、約４ｍ、約５ｍはなれた場所から本発明の飛翔体玩具を飛ばした。この玩具は元の位置に戻り、うまく受け取ることが出来た。表３には元に戻ってくる時間（約３ｍ）６秒であることを示している。【００６１】［参考製造例１１］
本発明の内径と外径の比率が約３２／４０にして飛翔体玩具を製造した。材料は発泡スチロールを用い、距離Ｌ１を２０ｍｍ、内径３２０ｍｍ、外径４００ｍｍとした。【００６２】［実施例１１］
図４のように、壁から約２ｍ、約３ｍ、約４ｍ、約５ｍはなれた場所から本発明の飛翔体玩具を飛ばした。この玩具は元の位置に戻り、うまく受け取ることが出来た。表３には元に戻ってくる時間（約３ｍ）６秒であることを示している。【００６３】［参考製造例１２］
本発明の内径と外径の比率が約３２／４０にして飛翔体玩具を製造した。材料は発泡スチロールを用い、厚みを２１ｍｍ、内径３２０ｍｍ、外径４００ｍｍとした。【００６４】［実施例１２］
図４のように、壁から約２ｍ、約３ｍ、約４ｍ、約５ｍはなれた場所から本発明の飛翔体玩具を飛ばした。この玩具では元の位置に戻らず、傾いて上がり、落下した。【００６５】  以上の結果から、内径側をテーパー状にすることにより、厚さを一定にした場合より本発明の飛翔体玩具が元の位置に戻る飛行時間が短くなることがわかった。【００６６】  また、飛翔体玩具の耐久性を向上させるために、図３のように密度の違う発泡スチロールを取り付けた。Ｌ２を１ｍｍ〜３ｍｍにすることで向上した。
【産業上の利用可能性】
【００６７】  本発明にかかる飛翔体玩具は、身体や顔に当たっても痛くなく、楽しく安全に遊ぶことの出来る効果を有するので、多くの人が参加できるゲームに用いることができるものであるから、飛翔体玩具とその製造の分野において、種々の産業上の利用性を有するものである。【００６８】  本発明の特定の実施形態について説明を行ったが、この技術分野における当業者は本明細書において記述された上記の実施形態を容易に修正することができることは明らかである。したがって、本発明は、この明細書で示された特定の実施形態に限定されること無く、他のいかなる修正、変更、実施の形態への利用に適用されるものであり、それゆえに、他の全ての修正、変更、実施形態は、本発明の精神および範囲内に入るものとみなされるべきである。
【符号の説明】
【００６９】ｒ０  飛翔体玩具の外径
ｒ１  飛翔体玩具の内径
ｔ  飛翔体玩具の厚さ
ｔ１、ｔ２、ｔ３  飛翔体玩具の厚さ（内側）
Ｌ  飛翔体玩具を飛ばす位置から壁までの距離
Ｌ１  飛翔体玩具環体の内側の平面長さ
Ｌ２  飛翔体玩具環体の外側の平面長さ
【図１】
2017136375.tif 000006
【図２】
2017136375.tif 000007
【図３】
2017136375.tif 000008
【図４】
2017136375.tif 000009